(57)【要約】【課題】  番組に関する情報と該番組を視聴する際の画質パラメータとの関係をユーザが容易に把握できるようにする。【解決手段】  画質を補正する際に適用する画質パラメータを画質パラメータ記憶部１１２に記憶しておき、この画質パラメータ記憶部１１２に記憶された画質パラメータに応じて入力画像の画質を補正する。番組予定情報を示すＥＰＧデータをＥＰＧデータ記憶部１１１に記憶しておく。ＥＰＧデータ記憶部１１１に記憶されたＥＰＧデータの表示３２１を描画する際に、画質パラメータ記憶部１１２に記憶された画質パラメータに基づいて、画質設定状態を示す有効画質モード表示３０２をＥＰＧ画面上に描画する。ＥＰＧ画面上に画質の設定状態が表示されるので、番組と画質パラメータとの関係が容易に把握できる。【選択図】  図４
2010147813.tif 000002
【特許請求の範囲】
【請求項１】
画質を補正する際に適用する画質パラメータを記憶する画質パラメータ記憶手段と、
前記画質パラメータ記憶手段に記憶された前記画質パラメータに応じて入力された画像の画質を補正する画像処理手段と、
電子番組表データを記憶する電子番組表データ記憶手段と、
前記電子番組表データ記憶手段に記憶された電子番組表データに基づいて番組予定画面を描画すると共に、前記画質パラメータ記憶手段に記憶された画質パラメータに基づいて、前記番組予定画面に画質設定状態を描画する描画手段と
を備えることを特徴とする画像処理装置。
【請求項２】
前記画質パラメータ記憶手段は、画質を補正する際に適用する画質パラメータを番組の種別毎に記憶することを特徴とする請求項１に記載の画像処理装置。
【請求項３】
前記画質パラメータ記憶手段は、画質を補正する際に適用する画質パラメータを番組毎に記憶することを特徴とする請求項１に記載の画像処理装置。
【請求項４】
前記画質パラメータは、コントラスト、ブライトネス、色の濃さ、シャープネス、色合い、色温度のうち、一つ以上を含むことを特徴とする請求項１乃至３の何れかに記載の画像処理装置。
【請求項５】
前記画質パラメータは、コントラスト、ブライトネス、色の濃さ、シャープネス、色合い、色温度のうち、一つ以上を集合した画質モードを含むことを特徴とする請求項１乃至３の何れかに記載の画像処理装置。
【請求項６】
画質を補正する際に適用する画質パラメータを画質パラメータ記憶手段に記憶する工程と、
前記画質パラメータ記憶手段に記憶された前記画質パラメータに応じて入力された画像の画質を補正する工程と、
電子番組表データを電子番組表データ記憶手段に記憶する工程と、
前記電子番組表データ記憶手段に記憶された電子番組表データに基づいて番組予定画面を描画すると共に、前記画質パラメータ記憶手段に記憶された画質パラメータに基づいて、前記番組予定画面に画質設定状態を描画する工程と
を備えることを特徴とする画像処理方法。
【発明の詳細な説明】
【技術分野】
【０００１】
本発明は、画像処理装置及び画像処理方法に関するもので、特に、テレビジョン画像の画質パラメータの設定、表示に係わる。
【背景技術】
【０００２】
テレビジョン画像の画質パラメータとしては、コントラスト・ブライトネス・色の濃さ・シャープネスなどがある。これらの画質パラメータは、ユーザの嗜好や外部環境の他に、再生している番組の種類により、異なってくる。例えば、スポーツ番組のような動きの激しい画面を再生するときと、映画やドラマのようなシーンを再生させるときとでは、画質パラメータの設定は異なってくる。
【０００３】
そこで、従来、例えば特許文献１に記載されているように、ユーザが視聴する番組に応じてテレビジョンに表示する画像の画質を自動的に調整する技術が提案されている。すなわち、特許文献１には、ユーザが設定した画質パラメータを番組の種別毎に記憶し、再度同一種別の番組を視聴する際には、記憶された画質パラメータを用いてテレビジョンに表示する画像の画質を調整する方法が開示されている。
【特許文献１】特開２００２−１５８９４１号公報
【発明の開示】
【発明が解決しようとする課題】
【０００４】
上述した特許文献１に記載の技術では、テレビジョンに対しユーザが画質パラメータの変更を指示すると、画面に画質パラメータの設定画面が表示される。しかしながら、この画質パラメータ設定画面には番組に関する情報が記載されておらず、番組に関する情報の表示と画質パラメータの設定とを同時に確認することができない。このため、ユーザは、番組を視聴した際に適用される画質パラメータを把握することが困難である。
【０００５】
そこで、本発明は、番組に関する情報と該番組を視聴する際の画質パラメータとの関係をユーザが容易に把握できるようにした画像処理装置及び画像処理方法を提供することを目的とする。
【課題を解決するための手段】
【０００６】
上述の課題を解決するために、本発明に係る画像処理装置は、画質を補正する際に適用する画質パラメータを記憶する画質パラメータ記憶手段と、画質パラメータ記憶手段に記憶された画質パラメータに応じて入力画像の画質を補正する画像処理手段と、番組予定情報を示す電子番組表データを記憶する電子番組表データ記憶手段と、電子番組表データ記憶手段に記憶された電子番組表データに基づいて番組予定画面を描画すると共に、画質パラメータ記憶手段に記憶された画質パラメータに基づいて、番組予定画面上に画質設定状態を描画する描画手段とを備えることを特徴とする。
【０００７】
本発明に係る画像処理装置は、画質を補正する際に適用する画質パラメータを画質パラメータ記憶手段に記憶し、画質パラメータ記憶手段に記憶された画質パラメータに応じて入力画像の画質を補正し、番組予定情報を示す電子番組表データを電子番組表データ記憶手段に記憶し、電子番組表データ記憶手段に記憶された電子番組表データに基づいて番組予定画面を描画すると共に、画質パラメータ記憶手段に記憶された画質パラメータに基づいて、番組予定画面上に画質設定状態を描画することを特徴とする。
【発明の効果】
【０００８】
本発明によれば、画質パラメータ記憶手段に、画質を補正する際に適用する画質パラメータが記憶されている。そして、放送予定の番組の名前、時刻、ジャンル、内容を示すＥＰＧ画面を描画させると、画質パラメータ記憶手段から画質パラメータが読み出され、ＥＰＧ画面上にこの画質パラメータの設定が描画される。これにより、ユーザは、番組に関する情報とその番組を視聴する際の画質パラメータとの関係を容易に把握できる。
【発明を実施するための最良の形態】
【０００９】
以下、添付図面を参照して、本発明の例示的な実施形態について詳細に説明する。
＜第１の実施形態＞
図１は、本発明の第1の実施形態における画像処理装置の一例としてのデジタルテレビジョン受信機の構成を示すブロック図である。
【００１０】
図１において、放送局が送信する電波はアンテナ１０１で受信された後、チューナ１０２に入力される。チューナ１０２は、アンテナ１０１が受信した電波の中から視聴者が選択したチャンネルに対応する周波数の電波を抽出する。さらに、チューナ１０２は抽出した電波をＴＳ（Ｔｒａｎｓｐｏｒｔ  Ｓｔｒｅａｍ）信号に復調する動作を行う。ＴＳ信号は、所定のサイズに分割された映像信号、音声信号、ＥＰＧデータ（電子番組表データ）などの付随情報の集まりである。復調したＴＳ信号は分離部１０３に出力される。
【００１１】
分離部１０３は、チューナ１０２から送られるＴＳ信号を映像信号と音声信号と付随情報に分離する。分離された映像信号は映像デコーダ１０８に、音声信号は音声デコーダ１０９に、付随情報はＣＰＵ（Ｃｅｎｔｒａｌ  Ｐｒｏｃｅｓｓｉｎｇ  Ｕｎｉｔ）１０５にそれぞれデータバス１０４を介して出力される。
【００１２】
データバス１０４は、映像信号や音声信号、ＣＰＵ１０５からの指示などの情報を転送する。ＣＰＵ１０５は、図示しない不揮発記憶装置に記憶された制御プログラムを実行することにより、後述するリモコン受信処理、ＥＰＧデータの抽出処理、ＥＰＧ描画指示などを行う。リモコン１０６は、視聴者がテレビジョンへ指示を送るためのものである。受光部１０７は、リモコン１０６から受信した信号をデコードし、リモコン１０６で押下されたボタンに対応する情報であるリモコンコードをＣＰＵ１０５に伝達する。
【００１３】
映像デコーダ１０８は、分離部１０３がＴＳ信号から分離した映像信号をデコードする。映像デコーダ１０８でデコードされた信号は、画像処理部１１３に出力される。音声デコーダ１０９は、分離部１０３がＴＳ信号から分離した音声信号をデコードする。音声デコーダ１０９でデコードされた音声信号は、スピーカ１１０に出力される。スピーカ１１０は、音声デコーダ１０９でデコードされた音声信号を音に変換する。スピーカ１１０からは通常、表示部１１５に表示される放送番組の音声が出力される。
【００１４】
ＥＰＧデータ記憶部（電子番組表データ記憶部）１１１は、書き換え可能な記憶装置である。ＣＰＵ１０５は、分離部１０３が出力する付随情報を受け取り、付随情報の中からＥＰＧデータを抽出する。ＥＰＧデータには、番組名、番組のジャンル、番組の放送開始時刻等、番組やチャンネルに関する様々な情報が含まれている。ＣＰＵ１０５は、抽出したＥＰＧデータをＥＰＧデータ記憶部１１１に転送する。ＥＰＧデータ記憶部１１１は、ＣＰＵ１０５から受け取ったＥＰＧデータを記憶する。
【００１５】
画質パラメータ記憶部１１２は、書き換え可能な記憶装置であり、後述する画像処理部１１３の振る舞いを変える画質パラメータを記憶する。画質パラメータは、コントラスト・ブライトネス・色の濃さ・シャープネスなどの詳細パラメータと、複数の詳細パラメータの集合である画質モードから構成される。
【００１６】
画像処理部１１３は、例えば、コントラスト処理回路、ブライトネス処理回路、色の濃さ処理回路、シャープネス処理回路など複数の処理回路の集合である。画像処理部１１３は、有効画質モードの詳細パラメータを画質パラメータ記憶部１１２から取得し、取得した詳細パラメータを各処理回路に適用し、映像デコーダ１０８が出力する映像信号の画質を補正する。詳細パラメータは、それぞれ「０」から「１００」の値を取る。詳細パラメータのコントラスト値が高いと、白黒の差が大きくなるように映像を補正する。また、ブライトネスの値が高いと、全体的に明るくなるように映像を補正する。色の濃さの値が高いと、色が濃くなるように映像を補正する。シャープネスの値が高いと、映像のエッジを強調するように補正する。
【００１７】
描画部１１４は、グラフィクスユーザインタフェースなどを描画し、画像処理部１１３が出力する映像信号に描画したグラフィクスユーザインタフェースを重畳する。表示部１１５は、例えば、液晶ディスプレイやプラズマディスプレイであり、描画部１１４が出力する画像を表示する。そのため、ユーザは通常、表示部１１５を介して放送番組を見る。
【００１８】
図２は、リモコン１０６の外観構成を示すものである。図２に示すように、リモコン１０６には、電源ボタン２０１、チャンネルボタン２０２、画質モードボタン２０３、２０４、２０５、ＥＰＧボタン２０６、方向ボタン２０７、決定ボタン２０８が配列される。
【００１９】
電源ボタン２０１は、テレビジョンの電源を入／切させるボタンである。チャンネルボタン２０２は、視聴するチャンネルを選択するものである。画質モードボタン２０３、２０４、２０５は、映像信号を表示する際の画質を変更させるボタンである。ＥＰＧボタン２０６は、ＥＰＧが表示させるボタンである。上下左右の方向ボタン２０７及び決定ボタン２０８は、グラフィクスユーザインタフェースを操作する際に用いるボタンである。
【００２０】
図２に示すように、リモコン１０６には、画質モードボタン２０３、２０４、２０５が設けられており、これにより、映像信号を表示する際の画質を、「標準」、「映像」、「スポーツ」のように、画質モード毎に変更させることができる。画質の詳細パラメータ（コントラスト・ブライトネス・色の濃さ・シャープネスなど）は、画質モードによって異なるため、ユーザはリモコン１０６の画質モードボタン２０３、２０４、２０５を使って、複数の詳細パラメータを一度に選択することができる。本発明の第１の実施形態において、画質パラメータ記憶部１１２は、詳細パラメータテーブルとユーザが選択した画質モードを記憶する。
【００２１】
図３に、画質パラメータ記憶部１１２が記憶する詳細パラメータテーブルの一例を示す。詳細パラメータテーブルは、画質モードと、画質モードに応じて異なる値を持つ詳細パラメータから構成される。画質モードには、「標準」、「映画」、「スポーツ」の３種類がある。詳細パラメータは、コントラスト・ブライトネス・色の濃さ・シャープネスの値である。以下、画質モード３種類の中からユーザが選択した画質モードのことを有効画質モードと呼ぶ。
【００２２】
また、図２に示したように、リモコン１０６には、ＥＰＧボタン２０６が設けられており、これにより、ＥＰＧ画面（番組予定画面）を表示することができる。そして、本発明の第１の実施形態では、このＥＰＧ画面中に、画質モードの画質設定状態を表示することができる。
【００２３】
図４は、ＥＰＧ表示の一例を示すものである。図４において、ＥＰＧデータの表示３０１は、縦軸時刻、横軸チャンネルの格子状に配置されている。画質パラメータ記憶部１１２から取得した有効画質モードは、ＥＰＧデータの下部に、表示３０２として描画される。カーソル３０３は、リモコン１０６の方向ボタン２０７を押下することによって移動する。
【００２４】
ユーザがリモコン１０６の方向ボタン２０７を操作して図４に示す表示例の下部に描画された有効画質モードの表示３０２の箇所にカーソルを移動し、リモコン１０６の決定ボタン２０８を押すと、描画部１１４は、図５に示す画質モードの選択画面を描画する。画質モード選択画面において、ユーザがリモコン１０６の方向ボタン２０７を使ってカーソルを移動し、リモコン１０６の決定ボタン２０８を押すと、描画部１１４は画質パラメータ記憶部１１２の有効画質モードを選択された画質モードに変更することができる。
【００２５】
このように、本発明の第１の実施形態では、ユーザがＥＰＧ表示を指示した際に、ＥＰＧデータと共に、画質設定状態が有効画質モードの表示３０２として表示される。このため、ユーザは、番組を視聴する時に適用される画質モードを容易に知ることができる。また、ＥＰＧ表示中に、画質モードを変更できる。
【００２６】
続いて、図６のフローチャートを参照して、ユーザがリモコン１０６の画質モードボタン２０３〜２０５を押下した際の動作について説明する。
【００２７】
図６において、ステップＳ１１で、ＣＰＵ１０５は、受光部１０７からリモコンコードを受信し、受信したリモコンコードからユーザが押下したリモコン１０６のボタンを判別する。ステップＳ１２にて、ＣＰＵ１０５は、画質パラメータ記憶部１１２に有効画質モードを記憶する。ステップＳ１３にて、画像処理部１１３は、画質パラメータ記憶部１１２から有効画質モードの詳細パラメータを取得し、これに応じて画質を変更する。
【００２８】
例えば、ステップＳ１１で、「映画」の画質モードボタン２０４が押下されたと判定されると、ステップＳ１２で、有効画質モードが「映画」に変更される。有効画質モードがステップＳ１２にて「映画」に変更されたため、詳細パラメータは、図３に示した詳細パラメータテーブルに基づいて、コントラスト＝３０、ブライトネス＝５０、色の濃さ＝３０、シャープネス＝３０に設定される。ステップＳ１３で、画像処理部１１３は、設定された詳細パラメータに基づいて映像デコーダ１０８が出力する映像信号の画質を補正する。
【００２９】
続いて、図７のフローチャートを参照して、ユーザがリモコン１０６のＥＰＧボタン２０６を押下した際のテレビジョンの動作を説明する。
【００３０】
ステップＳ２１において、ＣＰＵ１０５は、受光部１０７からリモコンコードを受信し、受信したリモコンコードからユーザが押下したリモコン１０６のボタンを判別する。ステップＳ２１で、リモコン１０６のＥＰＧボタン２０６が押下されたと判別されると、ＣＰＵ１０５は、ステップＳ２２において、描画部１１４に対してＥＰＧの表示を指示する。描画部１１４はＣＰＵ１０５からＥＰＧの表示指示を受けると、ＥＰＧデータ記憶部１１１からＥＰＧデータを取得する。続いて、描画部１１４は、画像処理部１１３が出力する映像信号の上に重ね合わせるように、取得したＥＰＧデータを描画する。
【００３１】
ステップＳ２３において、描画部１１４は、画質パラメータ記憶部１１２から有効画質モードを取得する。描画部１１４は、取得した有効画質モードを２２で描画したＥＰＧデータの下部に描画する。なお、詳細パラメータはこれに限ったものではなく、例えば、色合い、色温度などがあっても良い。また、画質モードは、「ダイナミック」、「写真」など他のモードがあっても良い。
【００３２】
第１の実施形態では、画質パラメータ記憶部１１２が持つ詳細パラメータテーブルに記憶する詳細パラメータは予め決まった数値であるとして説明を行うが、詳細パラメータは、例えば、ユーザがリモコン１０６を使って自由に設定できるようにしても良い。また、画質パラメータ記憶部１１２が持つ詳細パラメータテーブルは、コントラスト・ブライトネス・色の濃さ・シャープネスの詳細パラメータが記載されたファイル形式であっても良い。また、画質モードは、詳細パラメータが記載されたファイルの名前であっても良い。
【００３３】
以上説明したように本実施形態によれば、ユーザがＥＰＧ表示を指示した際に、ＥＰＧデータと共に画質モードが描画される。そのため、ユーザは、番組を視聴する時に適用される画質モードを容易に知ることが可能となる。また、本実施形態によれば、ＥＰＧ表示中にユーザの指示によって画質モードが変更できる。そのため、ユーザはＥＰＧに記載された番組の情報を見ながら画質モードを選択できるので、番組の内容に合った画質モードが選びやすくなる。
【００３４】
なお、本実施形態では、ＥＰＧデータと共に画質モードを表示するが、画質モードの要素であるコントラスト、ブライトネス、色の濃さ、シャープネスなどの詳細パラメータを表示するようにしても良い。また、本実施形態においては、放送局より取得したＥＰＧデータと共に画質パラメータを表示したが、ＥＰＧは、例えば、インタネット番組表であるiＥＰＧ(Internet Electronic Program Guide)であっても良い。
【００３５】
＜第２の実施形態＞
次に、本発明の第２の実施形態について説明する。本発明の第２の実施形態に係る画像処理装置は、番組の種別毎に異なる画質パラメータを適用し画質を補正するものである。以下、上述の第１の実施形態と異なる点を中心に説明する。
【００３６】
本発明の第２の実施形態の構成は、図１に示した構成と基本的には同様であるが、本発明の第２の実施形態においては、画質パラメータ記憶部１１２は、詳細パラメータテーブルと、番組の種別と画質モードとの対応関係を示す番組種別テーブルを持つ。番組種別テーブルの一例を図８に示す。
【００３７】
図８において、左列が番組種別を示している。番組種別とは、本実施形態においては、番組のジャンルのことであり、「映画」、「ドラマ」、「スポーツ」、「ニュース」がある。なお、番組種別は、これに限定されるものではなく、他のジャンルがあっても良いし、例えば、番組の信号フォーマットの種類であっても良い。右列は、番組種別に対応付けられた画質モードを示している。画質モードは、「映画」、「標準」、「スポーツ」の３種類である。
【００３８】
なお、本実施形態においては画質パラメータ記憶部１１２が持つ番組種別テーブルに記憶する番組種別と画質モードの対応関係は予め決められているとして説明を行う。番組種別と画質モードの対応関係は、例えばユーザがリモコン１０６を使って自由に設定できるようにしても良い。
【００３９】
続いて、図９のフローチャートを参照して、ユーザが番組を視聴する際のテレビジョンの動作を説明する。
【００４０】
ユーザが番組の視聴を開始すると、ステップＳ３１で、ＣＰＵ１０５は、ＥＰＧデータ記憶部１１１に記憶されているＥＰＧデータから、視聴番組の種別を取得する。続いて、ＣＰＵ１０５は、取得した視聴番組の種別を画像処理部１１３に送信する。
【００４１】
ステップＳ３２で、画像処理部１１３は、上記番組種別テーブルを参照しＣＰＵ１０５から送られた視聴番組の種別に対応付けられた画質モードを取得する。例えば、番組の種別が「ニュース」であり、番組種別テーブルが図８のようになっている場合には、画質モードとして「標準」が取得される。
【００４２】
ステップＳ３３で、画像処理部１１３は、詳細パラメータテーブルを参照し、ステップＳ３２で取得した画質モードに対応付けられた詳細パラメータを取得する。例えば、画質モードが「標準」で、詳細パラメータテーブルが図３のようになっている場合には、コントラスト＝５０、ブライトネス＝５０、色の濃さ＝５０、シャープネス＝５０である。ステップＳ３４で、画像処理部１１３は、ステップＳ３３で取得した詳細パラメータに基づいて映像デコーダ１０８が出力する映像信号の画質を変更して補正する。
【００４３】
図１０は、ユーザがリモコン１０６のＥＰＧボタン２０６を押下した際に描画部１１４が描画するＥＰＧ表示の一例である。
【００４４】
描画部１１４は、図１０に示すように、ＥＰＧデータ記憶部１１１から取得したＥＰＧデータを、縦軸が時刻、横軸がチャンネル番号の格子状に描画する。続いて、描画部１１４は、描画したＥＰＧの各番組枠の右上に番組を視聴する際に画像処理部に適用する画質モードの略名を描画する。
【００４５】
図１０において、例えば、番組１の種別が「ニュース」である場合、描画部１１４は、画質パラメータ記憶部１１２が記憶する番組種別テーブルを参照する。図８に示す番組種別テーブルでは、番組種別「ニュース」に対応する画質モードは「標準」であるため、描画部１１４は、画質モードの「標準」を取得する。
【００４６】
次に、描画部１１４は、番組１の番組枠４０１の右上に位置する画質モード欄４０２に画質モードの「標準」の略名であるＳを描画する。画質モードの略名は、Ｃは「映画」、Ｓは「標準」、ＳＰは「スポーツ」を表す。描画部１１４は、ＥＰＧを描画した各番組に対して、番組１の場合と同様に画質モードの略名を番組枠の右上に描画する。
【００４７】
続いて、図１０に示すＥＰＧ表示例を使って番組予定画面（ＥＰＧ画面）におけるユーザの操作例を説明する。ユーザがリモコン１０６の方向ボタン２０７を操作してカーソル４０３を番組１２の番組枠４０４の右上にある画質モード欄４０５に移動し、リモコン１０６の決定ボタン２０８を押すと、描画部１１４は、図５に示す画質モードの選択画面を描画する。画質モード選択画面において、ユーザが画質モードの「標準」を選択すると、描画部１１４は、画質パラメータ記憶部１１２が持つ番組種別テーブルを更新する。番組１２の種別が「スポーツ」の場合には、番組種別テーブルの「スポーツ」に対応する画質モードが「標準」に更新される。描画部１１４は、画質モード選択画面を消去し、再びＥＰＧを描画する。
【００４８】
図１１にユーザが画質モードを変更した後に描画部１１４が描画するＥＰＧ表示の一例を示す。ユーザが番組種別「スポーツ」の画質モードを「標準」に変更したため、番組１２の番組枠５０１の右上に位置する画質モード欄５０２がＳＰ（スポーツ）からＳ（標準）に変わる。また、番組種別が「スポーツ」である番組３２の番組枠５０３の右上に位置する画質モード欄５０４がＳＰ（スポーツ）からＳ（標準）に変わる。さらに、番組１２と番組３２の画質モードが変わったことをユーザに分かりやすく提示するために番組１２と番組３２の画質モードの略名が強調表示される。
【００４９】
以上説明したように本発明の第２の実施形態によれば、ユーザがＥＰＧ表示を指示した際に、ＥＰＧデータと共に番組の種別毎に設定された画質モードの略名が番組の枠の右上に表示される。そのため、ユーザは、番組を視聴する時に適用される画質モードを容易に知ることが可能となる。また、ＥＰＧ表示を継続させながら番組の画質モードを変更した際に、変更した番組の種別と同じ種別の番組の画質モードが一斉に変わって表示され、かつ、変更箇所が強調表示される。したがって、ユーザにとって画質モードを変えた際に影響を受ける番組が分かりやすくなる。
【００５０】
なお、本実施形態では、番組枠の右上に画質モードの略名を表示したが、略名ではなく、記号、アイコンであっても良いし、画質モードに応じて番組枠の表示を色分けして画質モードを識別できるようにしても良い。
【００５１】
また、本実施形態においては、ＥＰＧデータと共に画質モードの略名が常に表示されているが、画質モードの略名はリモコン１０６の特定のボタンを押すことにより表示／非表示を切り替えられるようにしても良い。
【００５２】
＜第３の実施形態＞
次に、本発明の第３の実施形態について説明する。本発明の第３の実施形態に係る画像処理装置は、番組毎に異なる画質パラメータを適用し画質を補正するものである。以下、第１の実施形態と異なる点を中心に説明する。
【００５３】
本発明の第３の実施形態に係る画像処理装置の構成は、図１に示した構成と基本的には同様であるが、本発明の第３の実施形態においては、画質パラメータ記憶部１１２は、詳細パラメータテーブルと、番組と画質モードとの対応関係を示す番組テーブルを持つ。番組テーブルの一例を図１２に示す。
【００５４】
図１２において、左列が番組名であり、右列は、番組に対応付けられた画質モードを示している。画質モードには、「映画」、「標準」、「スポーツ」の３種類がある。番組と画質モードの対応関係は、ユーザがリモコン１０６を使って自由に設定できる。続いて、図１３のフローチャートを参照して、ユーザが番組を視聴する際のテレビジョンの動作を説明する。
【００５５】
ユーザが番組の視聴を開始すると、ステップＳ４１で、ＣＰＵ１０５は、視聴番組の番組名が画質パラメータ記憶部１１２の番組テーブルに登録されているかどうかを判別する。視聴番組の番組名が番組テーブルに登録されている場合は（ステップＳ４１のＹｅｓ）、ステップＳ４２に進み、番組テーブルから番組名に対応付けられた画質モードを取得する。
【００５６】
ステップＳ４１において、視聴番組の番組名が番組テーブルに登録されていないと判断した場合は（ステップＳ４１のＮｏ）、ステップＳ４３に進み、画質モードを「標準」とする。例えば、視聴番組の番組名が図１４の番組１２であり、画質パラメータ記憶部１１２の番組テーブルが図１２のようであったとすると、図１２において番組名１２に対応付けられた「スポーツ」が画質モードとして取得される。
【００５７】
ステップＳ４４で、画像処理部１１３は、詳細パラメータテーブルを参照し、ステップＳ４２、あるいは、ステップＳ４３で取得した画質モードに対応付けられた詳細パラメータを取得する。ステップＳ４５で、画像処理部１１３は、ステップＳ４５で取得した詳細パラメータに基づいて映像デコーダ１０８が出力する映像信号の画質を変更して補正する。
【００５８】
図１４は、ユーザがリモコン１０６のＥＰＧボタン２０６を押下した際に描画部１１４が描画するＥＰＧ表示の一例である。
【００５９】
ユーザがリモコン１０６のＥＰＧボタン２０６を押下すると、図１４に示すように、描画部１１４は、ＥＰＧデータ記憶部１１１から取得したＥＰＧデータを、縦軸が時刻、横軸がチャンネル番号の格子状に描画する。また、描画部１１４は、番組名が画質パラメータ記憶部１１２の番組テーブルに対応付けられている場合は、番組テーブルから対応する画質モードを取得する。番組名が画質パラメータ記憶部１１２の番組テーブルに対応付けられていない場合は、画質モード「標準」を取得する。描画部１１４は、取得した画質モードの略名をそれぞれの番組枠の右上に描画する。画質モードの略名は、Ｃは「映画」、Ｓは「標準」、ＳＰは「スポーツ」を表す。
【００６０】
例えば、画質パラメータ記憶部１１２の記憶する番組テーブルが図１２のようになっている場合は、番組１２の画質モードは「スポーツ」である。したがって、番組１２の番組枠６０１の右上に位置する画質モード欄６０２に画質モードが「スポーツ」の略名であるＳＰを描画する。画質モードの略名は、Ｃは「映画」、Ｓは「標準」、ＳＰは「スポーツ」を表す。描画部１１４は、ＥＰＧを描画した各番組に対して、番組１２の場合と同様に画質モードの略名を番組枠の右上に描画する。
【００６１】
以上説明したように本発明の第３の実施形態によれば、ユーザがＥＰＧ表示を指示した際に、ＥＰＧデータと共に番組に対応付けられた画質モードの略名が番組の枠の右上に表示される。そのため、ユーザは、番組を視聴する時に適用される画質モードを容易に知ることが可能となる。
【００６２】
なお、この実施形態では、番組テーブルにおける番組名と画質モードの対応関係はユーザがリモコン１０６を使って設定するとしたが、これに限るものではない。例えば、番組と画質モードの対応関係は、テレビジョンがユーザの嗜好を分析して自動的に設定するようにしても良いし、また、過去の画質モードの設定履歴を分析して自動的に設定するようにしても良い。
【００６３】
本発明は、上述した実施形態に限定されるものではなく、本発明の要旨を逸脱しない範囲内で様々な変形や応用が可能である。
【図面の簡単な説明】
【００６４】
【図１】本発明の第１の実施形態における画像処理装置の構成を示すブロック図である。
【図２】本発明の第１の実施形態におけるリモコンの外観を示す図である。
【図３】本発明の第１の実施形態における詳細パラメータテーブルを示す図である。
【図４】本発明の第１の実施形態におけるＥＰＧ表示を示す図である。
【図５】本発明の第１の実施形態における画質モード選択画面を示す図である。
【図６】本発明の第１の実施形態においてユーザがリモコンの画質モードボタンを押下した際のテレビジョンの動作を示すフローチャートである。
【図７】本発明の第１の実施形態においてユーザがリモコンのＥＰＧボタンを押下した際のテレビジョンの動作を示すフローチャートである。
【図８】本発明の第２の実施形態における番組種別テーブルを示す図である。
【図９】本発明の第２の実施形態においてユーザが番組を視聴する際のテレビジョンの動作を示すフローチャートである。
【図１０】本発明の第２の実施形態におけるＥＰＧ表示を示す図である。
【図１１】本発明の第２の実施形態におけるＥＰＧ表示を示す図である。
【図１２】本発明の第３の実施形態における番組テーブルを示す図である。
【図１３】本発明の第３の実施形態においてユーザが番組を視聴する際のテレビジョンの動作を示すフローチャートである。
【図１４】本発明の第３の実施形態におけるＥＰＧ表示を示す図である。
【符号の説明】
【００６５】
１０１  アンテナ
１０２  チューナ
１０３  分離部
１０４  データバス
１０５  ＣＰＵ
１０６  リモコン
１０７  受光部
１０８  映像デコーダ
１０９  音声デコーダ
１１０  スピーカ
１１１  ＥＰＧデータ記憶部
１１２  画質パラメータ記憶部
１１３  画像処理部
１１４  描画部
１１５  表示部
２０１  電源ボタン
２０２  チャンネルボタン
２０３〜２０５ 画質モードボタン
２０６  ＥＰＧボタン
２０７  方向ボタン
２０８  決定ボタン
３０１  ＥＰＧデータの表示
３０２  有効画質モードの表示
３０３  カーソル
【図１】
2010147813.tif 000003
【図２】
2010147813.tif 000004
【図３】
2010147813.tif 000005
【図４】
2010147813.tif 000006
【図５】
2010147813.tif 000007
【図６】
2010147813.tif 000008
【図７】
2010147813.tif 000009
【図８】
2010147813.tif 000010
【図９】
2010147813.tif 000011
【図１０】
2010147813.tif 000012
【図１１】
2010147813.tif 000013
【図１２】
2010147813.tif 000014
【図１３】
2010147813.tif 000015
【図１４】
2010147813.tif 000016